(57)【要約】【課題】  健常者は云うまでもなく視覚や聴覚に障害をもった、体の不自由な者であっても、例えば奥行き方向に重ね合わせて陳列した商品を容易に且つ確実に商品毎に識別可能となした包装体及びその陳列方法並びに陳列装置を提供する。【解決手段】  複数個を１セットにして重なりをもたせて陳列される包装体１であって、包装されている商品２を識別するための識別情報として、聴覚、臭覚、触覚のいずれか一種以上の感覚により知覚可能な識別情報を提供する識別情報提供手段３を設けた。【選択図】        図１
2006036239.tif 000002
【特許請求の範囲】
【請求項１】
複数個を１セットにして重なりをもたせて陳列される包装体であって、
包装されている商品を識別するための識別情報として、聴覚、臭覚、触覚のいずれか一種以上の感覚により知覚可能な識別情報を提供する識別情報提供手段を設けた、
ことを特徴とする包装体。
【請求項２】
前記識別情報提供手段を包装体本体とは別部材で構成して、包装体本体に一体的に取り付けた請求項１記載の包装体。
【請求項３】
前記包装体本体に、包装体本体に対する識別情報提供手段の取付位置に対応させて、該取付位置を視覚的及び／又は構造的に指示する指示部を設けた請求項２記載の包装体。
【請求項４】
複数個を１セットにして重なりをもたせて陳列される包装体であって、
包装されている商品を発光形態によって識別可能となした発光手段を設けた、
ことを特徴とする包装体。
【請求項５】
複数個を１セットにして重なりをもたせて陳列される包装体であって、
包装される商品の識別情報を目視可能となした識別部を設け、この識別部を、包装体本体とは別部材で構成して、包装体本体に一体的に取り付けるとともに、他の包装体を介在させた陳列状態で、該識別部を少なくとも１つの方向から目視でき、且つ、少なくとも、前記他の包装体と重ならない部分に設けたことを特徴とする包装体。
【請求項６】
前記包装体本体に、包装体本体に対する識別部の取付位置に対応させて、該取付位置を視覚的及び／又は構造的に指示する指示部を設けた請求項５記載の包装体。
【請求項７】
前記識別部として発光形態により商品を識別可能となした発光手段を設けた請求項５又は６記載の包装体。
【請求項８】
包装されている商品を識別するための識別情報として、聴覚、臭覚、触覚のいずれか一種以上の感覚により知覚可能な識別情報を提供する識別情報提供手段を設け、属性の異なる商品を包装した複数個の包装体を用い、これら複数個の包装体を１セットにして重なりをもたせて陳列することを特徴とした包装体の陳列方法。
【請求項９】
発光形態により商品を識別可能となした発光手段を設け、属性の異なる商品を包装した複数個の包装体を用い、これら複数個の包装体を１セットにして重なりをもたせて陳列することを特徴とした包装体の陳列方法。
【請求項１０】
包装される商品の識別情報を目視可能となした識別部を包装体本体とは別部材で構成して、包装体本体に一体的に取り付けるとともに、他の包装体を介在させた陳列状態で、該識別部を少なくとも１つの方向から目視でき、且つ、少なくとも、前記他の包装体と重ならない部分に設け、属性の異なる商品を包装した複数個の包装体を用い、これら複数個の包装体を１セットにして重なりをもたせ、識別部が他の包装体の識別部と重ならないように配列して、１セットの包装体の全ての識別部を少なくとも一方向から一覧目視できるように陳列したことを特徴とした包装体の陳列方法。
【請求項１１】
複数個を１セットにして重なりをもたせて陳列される包装体の陳列装置であって、
包装されている商品を識別するための識別情報として、視覚、聴覚、臭覚、触覚のいずれか一種以上の感覚により知覚可能な識別情報を提供する識別情報提供手段を備えた、
ことを特徴とする包装体の陳列装置。
【請求項１２】
陳列する包装体を包装されている商品の種別毎に仕切る仕切部材を設け、この仕切部材に識別情報提供手段を設けた請求項１１記載の包装体の陳列装置。
【発明の詳細な説明】
【技術分野】
【０００１】
本発明は、歯ブラシ等の小物商品に好適な包装体及びその陳列方法並びに陳列装置に関するものである。
【背景技術】
【０００２】
歯ブラシ等の小物商品の陳列方法として、懸架用のフックを設けたパッケージに小物商品を封入し、陳列棚に背板から手前側へ片持ち状に延びる懸架用バーを設け、パッケージのフックを懸架用バーに引っ掛けて、複数のパッケージを奥部側から手前側へ並列状に陳列する方法が広く採用されている。
【０００３】
しかし、この陳列方法では、後側の商品が前側の商品に隠れて識別し難く、利用者による購入商品の選択作業が煩雑になったり、店員による品切れ商品の割出作業が煩雑になったりすることから、通常は１本の懸架用バーに１種類の商品を陳列している。しかし、陳列する商品の品数が、陳列棚の懸架用バーの本数によって決まってしまうので、利用者のニーズに応じた豊富な品揃えを行うためには、大型な陳列棚が必要になるという問題がある。
【０００４】
このような問題を解決するため、本出願人は、特許文献１において、同一サイズ、同一形状の商品で、且つ、仕様や外装色等が異なる商品を、懸架用バーに対して奥部側から手前側へ１列に配列して陳列しつつ、配列の正面から見て２番目以後の奥部側に位置する商品の、仕様や外装色等を表示した識別部の目視が可能な包装体を提案した。
【０００５】
【特許文献１】特開２００２−２１１６３９号公報
【発明の開示】
【発明が解決しようとする課題】
【０００６】
ところが、前記特許文献１に記載の発明では、商品の違いを識別部の視覚的な違いによってのみ識別可能に構成していたので、例えば目の不自由な人にとっては識別部の違いを把握出来ないし、健常者においても表示形態によっては見間違いなど、誤認を生じることがあった。
【０００７】
本発明の目的は、健常者は云うまでもなく視覚や聴覚に障害をもった者であっても、例えば奥行き方向に重ね合わせて陳列した商品を容易に且つ確実に商品毎に識別可能となした包装体及びその陳列方法並びに陳列装置を提供することである。
【課題を解決するための手段】
【０００８】
本発明に係る第１の包装体は、複数個を１セットにして重なりをもたせて陳列される包装体であって、包装されている商品を識別するための識別情報として、聴覚、臭覚、触覚のいずれか一種以上の感覚により知覚可能な識別情報を提供する識別情報提供手段を設けたものである。
【０００９】
この包装体においては、識別情報提供手段から提供される識別情報に基づいて、聴覚、臭覚、触覚のいずれか１種以上の感覚により包装されている商品を知覚できるので、健常者は云うまでもなく、例えば目の不自由な者でも、重なりをもたせて陳列されている複数個の包装体を個別に識別することができる。このため、例えば１つの陳列用バーに複数種類の包装体を識別可能に陳列することが可能となり、陳列棚の構成を変更したり、陳列スペースを増やしたりすることなく、陳列可能な商品の品数を増やすことができる。
【００１０】
ここで、前記識別情報提供手段を包装体本体とは別部材で構成して、包装体本体に一体的に取り付けること、前記包装体本体に、包装体本体に対する識別情報提供手段の取付位置に対応させて、該取付位置を視覚的及び／又は構造的に指示する指示部を設けること、などが好ましい実施例である。
【００１１】
本発明に係る第２の包装体は、複数個を１セットにして重なりをもたせて陳列される包装体であって、包装されている商品を発光形態によって識別可能となした発光手段を設けたものである。
【００１２】
この第２の包装体では、発光手段の発光形態に基づいて、包装されている商品を識別できるので、通常の陳列環境は云うまでもなく、照明が不十分な場所や商品間隔が不適切な陳列でも、重なりをもたせて陳列されている複数個の包装体を容易に識別することができる。このため、例えば１つの陳列用バーに複数種類の包装体を識別可能に陳列することが可能となり、陳列棚の構成を変更したり、陳列スペースを増やしたりすることなく、陳列可能な商品の品数を増やすことができる。
【００１３】
本発明に係る第３の包装体は、複数個を１セットにして重なりをもたせて陳列される包装体であって、包装される商品の識別情報を目視可能となした識別部を設け、この識別部を、包装体本体とは別部材で構成して、包装体本体に一体的に取り付けるとともに、他の包装体を介在させた陳列状態で、該識別部を少なくとも１つの方向から目視でき、且つ、少なくとも、前記他の包装体と重ならない部分に設けたものである。
【００１４】
識別部は包装体本体に一体形成することも可能であるが、この第３の包装体のように、識別部を包装体本体とは別部材で構成すると、現在使用している包装体の製造装置をそのまま利用して包装体を製作できる。また、重なりをもって配置される包装体の識別部が、少なくとも１つの方向から目視することによって識別できるので、例えば１つの陳列用バーに複数種類の包装体を識別可能に陳列することが可能となり、陳列棚の構成を変更したり、陳列スペースを増やしたりすることなく、陳列可能な商品の品数を増やすことができるとともに、利用者による購入商品の選択作業が効率的に行え、しかも店員による品切れ商品の割出作業も容易に行うことができる。
【００１５】
ここで、前記包装体本体に、包装体本体に対する識別部の取付位置に対応させて、該取付位置を視覚的及び／又は構造的に指示する指示部を設けること、前記識別部として発光形態により商品を識別可能となした発光手段を設けること、などが好ましい実施例である。
【００１６】
本発明に係る第１の陳列方法は、包装されている商品を識別するための識別情報として、聴覚、臭覚、触覚のいずれか一種以上の感覚により知覚可能な識別情報を提供する識別情報提供手段を設け、属性の異なる商品を包装した複数個の包装体を用い、これら複数個の包装体を１セットにして重なりをもたせて陳列するものである。
【００１７】
本発明に係る第２の陳列方法は、発光形態により商品を識別可能となした発光手段を設け、属性の異なる商品を包装した複数個の包装体を用い、これら複数個の包装体を１セットにして重なりをもたせて陳列するものである。
【００１８】
本発明に係る第３の陳列方法は、包装される商品の識別情報を目視可能となした識別部を包装体本体とは別部材で構成して、包装体本体に一体的に取り付けるとともに、他の包装体を介在させた陳列状態で、該識別部を少なくとも１つの方向から目視でき、且つ、少なくとも、前記他の包装体と重ならない部分に設け、属性の異なる商品を包装した複数個の包装体を用い、これら複数個の包装体を１セットにして重なりをもたせ、識別部が他の包装体の識別部と重ならないように配列して、１セットの包装体の全ての識別部を少なくとも一方向から一覧目視できるように陳列したものである。
【００１９】
本発明に係る包装体の陳列装置は、複数個を１セットにして重なりをもたせて陳列される包装体の陳列装置であって、包装されている商品を識別するための識別情報として、視覚、聴覚、臭覚、触覚のいずれか一種以上の感覚により知覚可能な識別情報を提供する識別情報提供手段を備えたものである。
【００２０】
この陳列装置においては、識別情報提供手段から提供される識別情報に基づいて、視覚、聴覚、臭覚、触覚のいずれか１種以上の感覚により、包装されている商品を知覚できるので、健常者は云うまでもなく、例えば目の不自由な者でも、重なりをもたせて陳列されている複数個の包装体を個別に識別することができる。このため、例えば１つの陳列用バーに複数種類の包装体を識別可能に陳列することが可能となり、陳列棚の構成を変更したり、陳列スペースを増やしたりすることなく、陳列可能な商品の品数を増やすことができる。
【００２１】
ここで、陳列する包装体を包装されている商品の種別毎に仕切る仕切部材を設け、この仕切部材に識別情報提供手段を設けることが好ましい実施例である。
【発明の効果】
【００２２】
本発明に係る第１の包装体及び第１の陳列方法によれば、識別情報提供手段から提供される識別情報に基づいて、聴覚、臭覚、触覚のいずれか１種以上の感覚により包装されている商品を知覚できるので、健常者は云うまでもなく、例えば目の不自由な者でも、重なりをもたせて陳列されている複数個の包装体を個別に識別することができる。このため、例えば１つの陳列用バーに複数種類の包装体を識別可能に陳列することが可能となり、陳列棚の構成を変更したり、陳列スペースを増やしたりすることなく、陳列可能な商品の品数を増やすことができる。
【００２３】
この第１の包装体において、前記識別情報提供手段を包装体本体とは別部材で構成して、包装体本体に一体的に取り付けると、既存の包装体の製造装置をそのまま用いて包装体本体を製造できる。また、前記包装体本体に、包装体本体に対する識別情報提供手段の取付位置に対応させて、該取付位置を視覚的及び／又は構造的に指示する指示部を設けると、指示部の指示内容にしたがって、識別情報提供手段を包装体本体に取り付けることで、識別情報提供手段を包装体本体の適正な取付位置に容易に取り付けることができる。
【００２４】
本発明に係る第２の包装体及び第２の陳列方法によれば、発光手段の発光形態に基づいて、包装されている商品を識別できるので、通常の陳列環境は云うまでもなく、照明が不十分な場所や商品間隔が不適切な陳列でも、重なりをもたせて陳列されている複数個の包装体を容易に識別することができる。このため、例えば１つの陳列用バーに複数種類の包装体を識別可能に陳列することが可能となり、陳列棚の構成を変更したり、陳列スペースを増やしたりすることなく、陳列可能な商品の品数を増やすことができる。
【００２５】
本発明に係る第３の包装体及び第３の陳列方法によれば、識別部を包装体本体とを別部材で構成しているので、現在使用している包装体の製造装置をそのまま利用して包装体を製作できる。また、重なりをもって配置される包装体の識別部が、少なくとも１つの方向から目視することによって識別できるので、例えば１つの陳列用バーに複数種類の包装体を識別可能に陳列することが可能となり、陳列棚の構成を変更したり、陳列スペースを増やしたりすることなく、陳列可能な商品の品数を増やすことができるとともに、利用者による購入商品の選択作業が効率的に行え、しかも店員による品切れ商品の割出作業も容易に行うことができる。
【００２６】
第３の包装体において、前記包装体本体に、包装体本体に対する識別部の取付位置に対応させて、該取付位置を視覚的及び／又は構造的に指示する指示部を設けると、指示部の指示内容にしたがって、識別部を包装体本体に取り付けることで、識別部を包装体本体の適正な取付位置に容易に取り付けることができる。また、前記識別部として発光形態により商品を識別可能となした発光手段を設けると、発光手段の発光形態に基づいて、包装されている商品を識別できるので、通常の陳列環境は云うまでもなく、照明が不十分な場所や商品間隔が不適切な陳列でも、重なりをもたせて陳列されている複数個の包装体を容易に識別することができる。
【００２７】
本発明に係る陳列装置によれば、識別情報提供手段から提供される識別情報に基づいて、聴覚、臭覚、触覚のいずれか１種以上の感覚により、包装されている商品を知覚できるので、健常者は云うまでもなく、例えば目の不自由な者でも、重なりをもたせて陳列されている複数個の包装体を個別に識別することができる。このため、例えば１つの陳列用バーに複数種類の包装体を識別可能に陳列することが可能となり、陳列棚の構成を変更したり、陳列スペースを増やしたりすることなく、陳列可能な商品の品数を増やすことができる。しかも、包装体自体の構成を変更する必要がないので、容易に実施することができる。また、発光形態や表示形態、音声出力や音出力など給電を要する識別情報供給手段を用いる場合でも、陳列装置を設置する店舗側から容易に給電でき、しかも包装体自体に識別情報提供手段を備えさせる必要がないので、製品コストが高くなることもない。
【発明を実施するための最良の形態】
【００２８】
以下、本発明の実施例について図面を参照しながら説明する。
【００２９】
図１、図２に示すように、包装体１は、複数個を１セットにして重なりをもたせて陳列され、包装されている商品２を識別するための識別情報として、聴覚、臭覚、触覚のいずれか一種以上の感覚、或いは聴覚、臭覚、触覚のいずれか一種以上の感覚と視覚とにより知覚可能な識別情報を提供する識別情報提供手段３を設けたものである。
【００３０】
包装体１は、収容した商品２を透視可能な合成樹脂シートからなるカバー部材４と、カバー部材４の開口部を閉鎖する台紙５とを備えている。包装体１の上端部には略Ｌ字状の引っ掛け孔６が形成され、図１に示すように、陳列棚の陳列用バー７にこの引っ掛け孔６を通して、包装体１を縦向き姿勢に陳列できるように構成されている。但し、カバー部材４と台紙５以外の構成からなる包装体１に対しても、また陳列用バー７に引っ掛けるタイプ以外の包装体に対しても本発明を同様に適用できる。
【００３１】
この包装体１では、商品２として歯ブラシを収容したが、歯ブラシ以外の小物商品、例えば歯磨きペーストや電池やボールペンなどを収容することもできる。基本的には、サイズや色などの属性の異なる小物商品２を収容した複数種類の包装体１を１セットにして重なりをもたせて陳列することになる。例えば、歯ブラシを収容する場合には、フィラメントの硬さに応じて「硬い」「普通」「柔らかい」の硬さの異なる歯ブラシを包装した３種類の包装体１を１セットにして重なりをもたせて陳列したり、色違いの歯ブラシを包装した複数種類の包装体１を１セットにして重なりをもたせて陳列したりすることができる。種類の異なるものを個別に混在させて陳列することも可能であるが、種類毎に纏めて陳列する方が、利用者にとって商品２の選択が容易になるし、販売者にとっても欠品している商品２を容易に見つけることができるので好ましい。
【００３２】
識別情報提供手段３は、包装体１のカバー部材４及び台紙５を舌片状に外側へ突出させてなる識別部１０で構成されている。そして、この識別部１０の高さ位置をフィラメントの硬さに応じて変更することで、例えば、柔らかいフィラメントを備えた歯ブラシと普通のフィラメントを備えた歯ブラシと硬いフィラメンを備えた歯ブラシの順番で包装体１の上段、中段、下段に識別部１０を突出させることによって、例えば図２に示すように、陳列用バー７に３種類の包装体１を引っ掛けて陳列した状態で、即ち他の包装体を介在させた陳列状態で、前側から３つの識別部１０を目視可能に構成することで、包装体１に包装されている商品２を識別部１０により視覚的に識別することができるように構成されている。
【００３３】
また、識別部１０の側縁には、歯ブラシの種類毎に、例えば柔らかいフィラメントを備えた歯ブラシにおいては１つの山部１１が形成され、普通のフィラメントを備えた歯ブラシにおいては２つの山部１１が形成され、硬いフィラメントを備えた歯ブラシにおいては３つの山部１１が形成されており、山部１１の個数によって包装体１に包装されている歯ブラシのフィラメントの硬さを識別できるように構成されている。つまり、この識別部１０は指で触れることによって、触覚により包装されている歯ブラシを識別することができるので、目の不自由な者であっても、山部１１の個数とフィラメントの硬さの対応関係を予め覚えておくことで、所望の硬さの歯ブラシを選択することができる。
【００３４】
このように、この包装体１では、識別部１０の高さ位置により視覚的にフィラメントの硬さを識別することができ、また識別部１０を指で触れることにより触覚的にフィラメントの硬さを識別することができることになる。但し、識別部１０の高さを同じに設定し、触覚のみにより商品２を識別できるように構成することも可能である。
【００３５】
尚、触覚により識別可能とするための識別部１０の構成として、図３に示す包装体１Ａの識別部１０Ａのように、山部１１に代えて識別部１０Ａの表面に突起１２を形成し、この突起１２の個数によって商品２を識別できるように構成することもできる。また、図４に示す包装体１Ｂの識別部１０Ｂのように、山部１１に代えて識別部１０Ｂの表面性状に差を持たせ、例えば滑らかな面１３ａに形成したものと、一方向にのみ伸びる平行なギザギザな面１３ｂに形成したものと、網目状にギザギザな面１３ｃに形成したもとを用いることで、指触りの相違により商品２を識別できるように構成することもできる。更に、識別部１０に点字を施したり、舌片状に外側に突出させてなる識別部の替わりに切り抜いた形状や穴を施したり、マット状にして毛が生えたようにしたり、光沢をもたせツルツルに表面を処理したりして、目の不自由な者でも商品２を容易に識別できるように構成することも可能であるが、これに限られるものではない。更にそのような触覚により識別可能とするための識別部は、必ずしも包装体のカバー部材及び／又は台紙を舌片状に外側へ突出させてなることを必要としない。例えば、製造ライン上または別工程で、積層造形のインクジェット形式のノズルにより包装体側面に、特定の形状、点字等になるように、樹脂等を吹き付け固着させ、識別部を形成させることもできる。
【００３６】
識別部１０は、本実施例では台紙５に一体的に形成したが、図５に示す識別部１０Ｃのように、包装体本体１Ｃとは別部材で構成することも可能である。この場合には、包装体本体１Ｃの製作後、陳列するまでの間において、包装体本体１Ｃの適所に識別部１０Ｃを貼り付けたりステイプラー等で固定したりすることになり、識別部１０Ｃの取付作業は煩雑なものとなるが、包装体本体１Ｃの構成を変更する必要がないので、各種包装体に対して容易に適用することができる。図６に示す包装体１Ｄのように、カバー部材４を台紙５にヒートシールするときに識別部１０Ｃの端部を両者間に挟んで、識別部１０Ｃを包装体１Ｄに一体的に設けることも可能である。更に、図７に示すように、包装体として、カバー部材４Ｆと台紙５Ｆとに凹凸嵌合部１４を有する包装体１Ｆを用いる場合には、凹凸嵌合部１４に嵌合する貫通孔１５を形成した識別部１０Ｆを用い、凹凸嵌合部１４を利用して識別部１０Ｆを所定位置に位置決め固定することも好ましい。また、カバー部材４と台紙５の少なくとも一方に、別部材からなる識別部１０Ｃの取付位置を視覚的及び／又は構造的に指示する指示部を設けることも好ましい。
【００３７】
識別情報提供手段３としては、触覚以外に聴覚や臭覚により包装体１に収容している商品２を識別可能なものを採用することもできる。例えば、識別部１０にスイッチを組み込むとともに、包装している商品を識別するための音声或いは音を出力する音出力手段を包装体１に組み込んで、スイッチ操作により包装している商品２を識別するための案内を音声で行ったり、音で行ったりすることも可能である。この場合には、目の不自由な者でも商品２を容易に識別できるので好ましい。また、臭覚により識別する場合には、識別部１０に芳香剤を付着させ、識別部１０に触れてその香りを嗅ぐことで、芳香により商品２を識別することも可能である。例えば、商品２として、レモン味やイチゴ味やミント味など味の異なる歯磨きペーストを陳列する場合において、レモンの香りやイチゴの香りやミントの香りが放出されるように識別部１０に香りを付着させると、収容している商品２を明確に把握できるので好ましい。芳香剤は、常時芳香するように構成することも可能であるが、長期間展示しても芳香性が得られるように構成するため、例えば指で摘まむことで芳香を発するように構成することも好ましい。
【００３８】
また、図８に示す包装体１Ｇのように、識別部１０にＬＥＤ２０を組み込んで、発光色や発光パターン等、発光形態を変更することで、商品２を識別できるように構成することも可能である。例えば、「赤」「青」「黄」の３色の発光ダイオードを組み込んで、３種類の商品２を識別できるように構成することも可能である。ＬＥＤ２０は常時発光させてもよいが、手指が接近したときのみ発光するように制御することが好ましい。但し、包装体１のそれぞれに音出力手段や芳香手段や発光手段を備えさせると、包装体の価格が高くなるので、次のように構成することも可能である。
【００３９】
図９に示すように、包装体として識別部１０を有しない通常の包装体２１を用い、この包装体２１を陳列用バー７に陳列した状態で、商品２の種類別に間仕切り可能な仕切部材２２を設け、この仕切部材２２に包装されている商品２を識別するための識別情報として、視覚、聴覚、臭覚、触覚のいずれか一種以上の感覚により知覚可能な識別情報を提供する識別情報提供手段３を備えさせることができる。
【００４０】
このような仕切部材２２を用いる場合には、前記実施例において包装体にした場合と同様に、仕切部材２２に識別情報提供手段３として側方へ突出する識別部２３を設け、仕切部材２２を陳列用バー７に引っ掛けるとともに、その前側に対応する包装体２１を引っ掛けることで、仕切部材２２の前側の包装体２１を識別部２３により識別できるように構成できる。
【００４１】
また、この場合、仕切部材２２の識別部２３は、前記実施例における識別部１０、１０Ａ、１０Ｂと同様に山部１１や突起１２や表面性状により触覚的に識別可能に構成することも可能である。また、仕切部材２２にスイッチと包装されている商品の説明等を音声や音により案内する案内手段を組み込み、スイッチ操作によって、仕切部材２２の前側に配置される包装体２１の説明を音声や音により行うことも可能である。更に、仕切部材２２に発光ダイオード２０とそれを制御する制御手段とを組み込み、発光ダイオード２０の発光色や発光パターンを切り替えることで、仕切部材２２の前側に配置される包装体２１を識別できるように構成することも可能となる。更にまた、識別部２３に芳香剤を含浸させ、識別部１０を指で触れることにより、対応する芳香が放たれるように構成することもできるし、対応する芳香剤を染み込ませた小紙片を複数個、仕切部材２２に着脱可能に取付けておき、自由にそれを取り、芳香を識別することができるが、これに限られるものではない。
【００４２】
また、図１０、図１１に示す陳列装置のように、陳列用バー７に一定間隔おきに固定した複数のスイッチ部材２５と、陳列用バー７に陳列される包装体２１の説明を音声で出力可能な音声合成手段２６及びスピーカー２７と、スイッチ部材２５からの信号に基づいて音声合成手段２６を制御して、取り外そうとしている包装体２１に適合する商品の説明を音声で出力させる制御手段２８とを備えたものを用いることもできる。また、この場合には、液晶ディスプレイなどからなる表示手段を設けて、陳列されている商品の説明等を行うことも可能であるし、スイッチ部材２５にＬＥＤを組み込んで、タッチパネルで所望の商品を指示することで、対応する商品を引っ掛けたスイッチ部材２５のＬＥＤを発光させたりすることもできる。更に、商品が売れると、スイッチ部材２５が例えばＯＦＦ状態となるので、スイッチ部材２５からの信号に基づいてどの商品が欠品状態になっているかを表示させることも可能となる。
【図面の簡単な説明】
【００４３】
【図１】陳列状態での包装体の斜視図
【図２】同包装体の正面図
【図３】他の構成の包装体の陳列状態での斜視図
【図４】他の構成の包装体の陳列状態での斜視図
【図５】他の構成の包装体の陳列状態での斜視図
【図６】他の構成の包装体の（ａ）は分解斜視図、（ｂ）は斜視図
【図７】他の構成の包装体の展開途中の斜視図
【図８】他の構成の包装体の陳列状態での斜視図
【図９】陳列装置の説明図
【図１０】他の構成の陳列装置の説明図
【図１１】同陳列装置の制御系のブロック図
【符号の説明】
【００４４】
１      包装体              ２      商品
３      識別情報提供手段    ４      カバー部材
５      台紙                ６      引っ掛け孔
７      陳列用バー          １０    識別部
１１    山部                １２    突起
１Ａ    包装体              １０Ａ  識別部
１Ｂ    包装体              １０Ｂ  識別部
１Ｃ    包装体本体          １０Ｃ  識別部
１Ｄ    包装体
１Ｆ    包装体              ４Ｆ    カバー部材
５Ｆ    台紙                １０Ｆ  識別部
１Ｇ    包装体
１３ａ  滑らかな面          １３ｂ  ギザギザな面
１３ｃ  ギザギザな面        １４    凹凸嵌合部
１５    貫通孔
２０    発光ダイオード      ２１    包装体
２２    仕切部材            ２３    識別部
２５    スイッチ部材        ２６    音声合成手段
２７    スピーカー          ２８    制御手段
【図１】
2006036239.tif 000003
【図２】
2006036239.tif 000004
【図３】
2006036239.tif 000005
【図４】
2006036239.tif 000006
【図５】
2006036239.tif 000007
【図６】
2006036239.tif 000008
【図７】
2006036239.tif 000009
【図８】
2006036239.tif 000010
【図９】
2006036239.tif 000011
【図１０】
2006036239.tif 000012
【図１１】
2006036239.tif 000013